(57)【要約】【課題】車両における移動中と販売中との両方でコマーシャルメッセージ等を表示するに当たり、それらを手間なく行える表示装置を提供する。【解決手段】表示装置４は、移動販売車である車両１において窓ガラスで閉塞される窓枠２の車内側の面に取り付けられる取付枠５と、その取付枠５に対し取り外すことが可能な状態で取り付けられるサインボード６と、を備える。そして、サインボード６における厚さ方向両側の面のうち、サインボード６が取付枠５に取り付けられたときに窓ガラスと向かい合う方の面には、その窓ガラスを介して車両１の外に向けてコマーシャルメッセージ等の表示を行う黒板が設けられる。また、販売中には、サインボード６を取付枠５から取り外して車両１の外に立てかけたりすることにより、黒板に書き込まれたコマーシャルメッセージ等を表示することができる。【選択図】図２
2018205399.tif 000002
【特許請求の範囲】
【請求項１】
車両において窓ガラスで閉塞される窓枠の車内側の面に取り付けられる取付枠と、前記取付枠に対し取り外すことが可能な状態で取り付けられるサインボードと、を備えており、
前記サインボードにおける厚さ方向両側の面のうち、前記サインボードが前記取付枠に取り付けられたときに前記窓ガラスと向かい合う方の面には、その窓ガラスを介して車両の外に向けた表示を行う表示部が設けられている
ことを特徴とする表示装置。
【請求項２】
前記サインボードの表示部は、その表示の内容を変更できるよう構成されている請求項１に記載の表示装置。
【請求項３】
前記サインボードにおける厚さ方向の両側の面のうち、前記表示部が設けられている面と反対側の面には、物品を取り外し可能に取り付けることができる取付部が設けられている請求項１又は２に記載の表示装置。
【請求項４】
前記サインボードにおける厚さ方向の両側の面のうち、前記表示部が設けられている面と反対側の面には、前記表示部とは別の表示部が設けられている請求項１又は２に記載の表示装置。
【請求項５】
前記サインボードは、厚さ方向両側の面のうちの一方の面を前記窓ガラスと向かい合うよう前記取付枠に対し取り付けることができ、且つ、同サインボードを裏返して厚さ方向両側の面のうちの他方の面を前記窓ガラスと向かい合うよう前記取付枠に対し取り付けることができるようにも構成されている請求項３又は４に記載の表示装置。
【請求項６】
前記サインボードは、前記取付枠の内側に取り付けられるものであり、その取り付け時、前記取付枠の内側が弾性変形して前記サインボードと前記取付枠との間の摩擦が増大することにより、前記取付枠に対する相対位置が保持されるよう構成されている請求項１〜５のいずれか一項に記載の表示装置。
【請求項７】
前記サインボードは、前記取付枠の内側に取り付けられるものであり、
前記取付枠は、その内側に前記サインボードが取り付けられたとき、同サインボードにおける前記窓ガラス側の面における同サインボードの外縁寄りの部分と接することにより、前記窓ガラスと前記サインボードとの間に空間を形成する接触面を有する請求項１〜６のいずれか一項に記載の表示装置。
【発明の詳細な説明】
【技術分野】
【０００１】
本発明は、車両に適用される表示装置に関する。
【背景技術】
【０００２】
自動車等の車両としては、例えば特許文献１に示されるように、移動販売等に用いられるものがある。こうした車両では、コマーシャルメッセージをボディに貼り付けることによって移動中に同メッセージを表示する一方、コマーシャルメッセージを載せたサインボードを持ち運んで販売場所で同サインボードを立てかけることにより販売中にも上記メッセージを表示することが考えられる。
【先行技術文献】
【特許文献】
【０００３】
【特許文献１】特開２００４−２３１０４６号公報
【発明の概要】
【発明が解決しようとする課題】
【０００４】
しかし、上記移動販売車では、コマーシャルメッセージを移動中と販売中との両方で表示するため、コマーシャルメッセージをボディに貼り付けるとともに、コマーシャルメッセージが載せられたサインボードを用意しなければならず、それらを行うことが手間となっていた。
【０００５】
本発明の目的は、車両における移動中と販売中との両方でコマーシャルメッセージ等を表示するに当たり、それらを手間なく行える表示装置を提供することにある。
【課題を解決するための手段】
【０００６】
以下、上記課題を解決するための手段及びその作用効果について記載する。
上記課題を解決する表示装置は、車両において窓ガラスで閉塞される窓枠の車内側の面に取り付けられる取付枠と、その取付枠に対し取り外すことが可能な状態で取り付けられるサインボードと、を備える。そして、サインボードにおける厚さ方向両側の面のうち、サインボードが取付枠に取り付けられたときに窓ガラスと向かい合う方の面には、その窓ガラスを介して車両の外に向けた表示を行う表示部が設けられている。
【０００７】
上記構成によれば、窓枠の車内側の面に取り付けられた取付枠に対しサインボードを取り付けることにより、車両の走行中にサインボードの表示部を車両の外に向けて窓ガラス越しに表示することができる。一方、販売中には、取付枠から取り外されたサインボードを車両の外に立てかけたりすることにより、同サインボードの表示部を表示することができる。従って、表示部にコマーシャルメッセージ等を表示することにより、車両における走行中と販売中との両方において、一つのサインボードを用いて手間をかけることなくコマーシャルメッセージ等の表示を行うことができる。
【０００８】
上記表示装置において、上記サインボードの表示部は、その表示の内容を変更できるよう構成されていることが好ましい。
この構成によれば、サインボードの表示部における表示内容を、同サインボードの使用状況等に応じて変更することができる。
【０００９】
上記表示装置において、上記サインボードにおける厚さ方向の両側の面のうち、表示部が設けられている面と反対側の面には、物品を取り外し可能に取り付けることができる取付部を設けることが考えられる。
【００１０】
この構成によれば、サインボードの表示部が設けられている面とは反対側の面に設けられている取付部に対し、メモ用紙、領収証、写真、及び商品等を取り付けたり取り外したりすることができる。
【００１１】
上記表示装置において、上記サインボードにおける厚さ方向の両側の面のうち、上記表示部が設けられている面と反対側の面には、上記表示部とは別の表示部が設けられているものとすることが考えられる。
【００１２】
この構成によれば、サインボードにおける厚さ方向の表裏両面にそれぞれ表示部が設けられているため、それら表示部に別々の内容を表示するとともに状況に応じてサインボードを裏返すことにより、同サインボードで表示する内容を状況に合わせて容易に切り換えることができる。
【００１３】
上記表示装置において、上記サインボードは、厚さ方向両側の面のうちの一方の面を窓ガラスと向かい合うよう取付枠に対し取り付けることができ、且つ、同サインボードを裏返して厚さ方向両側の面のうちの他方の面を窓ガラスと向かい合うよう取付枠に対し取り付けることができるようにも構成されているものとすることが考えられる。
【００１４】
この構成によれば、サインボードを取付枠に対し取り付けるとき、サインボードにおける窓ガラスに向う面として、同サインボードの厚さ方向の両側の面のうちのいずれかの面を選択することができる。サインボードにおける表示部と反対側の面が取付部である場合には、その取付部に写真や商品を取り付けるとともに、同取付部が窓ガラスに向うようにサインボードを取付枠に対し取り付けることにより、窓ガラス越しに車両の外に向けて写真や商品を表示することができる。また、サインボードにおける表示部と反対側の面が別の表示部である場合には、それら表示部に別々の内容を表示するとともに状況に応じてサインボードを裏返して取付枠に対し取り付けることにより、窓ガラス越しに車両の外に向けて表示する内容を状況に合わせて容易に切り換えることができる。
【００１５】
上記表示装置において、上記サインボードは、前記取付枠の内側に取り付けられるものであり、その取り付け時、取付枠の内側が弾性変形してサインボードと取付枠との間の摩擦が増大することにより、取付枠に対する相対位置が保持されるよう構成されているものとすることが考えられる。
【００１６】
この構成によれば、サインボードを取付枠に対し取り付けるに当たり、サインボードと取付枠との間の摩擦が増大してサインボードと取付枠との相対位置が保持されるため、取付枠に対しサインボードをしっかりと取り付けることができる。
【００１７】
上記表示装置において、上記サインボードは、取付枠の内側に取り付けられるものとすることが考えられる。更に、上記取付枠は、その内側にサインボードが取り付けられたとき、同サインボードにおける窓ガラス側の面における同サインボードの外縁寄りの部分と接することにより、窓ガラスとサインボードとの間に空間を形成する接触面を有するものとすることが考えられる。
【００１８】
上記窓ガラスは湾曲している場合があり、取付枠に取り付けられたサインボードが仮に上記湾曲した窓ガラスに接してしまうようなことがあると、そうした接触に伴って異音が発生することは避けられない。しかし、上記構成によれば、サインボードが取付枠の内側に取り付けられたとき、そのサインボードにおける窓ガラス側の面における同サインボードの外縁寄りの部分が取付枠の上記接触面に接し、それによってサインボードが窓ガラスとの間に空間を形成した状態で保持される。このため、取付枠の内側に取り付けられたサインボードが上記湾曲した窓ガラスに接することを抑制でき、その接触に伴う異音の発生も抑制することができる。
【図面の簡単な説明】
【００１９】
【図１】表示装置が適用される車両を示す側面図。
【図２】表示装置を車両における車内側から見た状態を示す正面図。
【図３】図２における車両の窓枠及び窓ガラス、並びに、表示装置の取付枠及びサインボードを矢印Ａ−Ａ方向から見た状態を示す断面図。
【図４】サインボードを車両の外で立てかけた状態を示す斜視図。
【発明を実施するための形態】
【００２０】
以下、移動販売車に適用される表示装置の一実施形態について、図１〜図４を参照して説明する。
図１に示すように、車両１の窓枠２は窓ガラス３によって閉塞されており、こうした窓枠２及び窓ガラス３は車両１に複数設けられている。車両１の内部（車内）であって同車両１の後部側面の窓枠２及び窓ガラス３に対応する位置には、その窓ガラス３越しに車両１の外に向けてコマーシャルメッセージ等を表示するための表示装置４が設けられている。
【００２１】
図２は、表示装置４を図１の車両１における車内側から見た状態を示している。表示装置４は、窓枠２における車内側の面に取り付けられる取付枠５と、その取付枠５に対し取り外すことが可能な状態で取り付けられるサインボード６と、を備えている。取付枠５は窓枠２に対応した四角形の枠状となっており、サインボード６は取付枠５の内形に対応した四角形の板状に形成されている。そして、取付枠５に対しサインボード６を取り付ける際には、同サインボード６の外縁６ａ全体が取付枠５の内側（内縁５ａ全体）に対し嵌め込まれる。
【００２２】
ちなみに、この例では取付枠５に対するサインボード６の取り付けが磁石７によって行われる。詳しくは、サインボード６の四隅にそれぞれ磁石７を設けるとともに、取付枠５におけるサインボード６の四隅に対応する部分にそれぞれ鉄板８を設ける。これにより、サインボード６の外縁６ａが取付枠５の内側に対し嵌め込まれたとき、サインボード６の上記磁石７が取付枠５の上記鉄板８に吸い付けられ、それによってサインボード６が取付枠５に対し取り外し可能に取り付けられる。
【００２３】
取付枠５の四隅にはそれぞれ、同取付枠５の内側に対しサインボード６が嵌め込まれたとき、そのサインボード６の四隅を取付枠５から外れないよう抑えるための固定バンド１１が設けられている。これら固定バンド１１は、ゴム等の弾性を有する材料によって形成されている。このため、取付枠５の内側に対しサインボード６を嵌め込むとき、及び、サインボード６を取付枠５の内側から取り外すときには、そうした嵌め込み及び取り外しの邪魔にならないよう固定バンド１１を弾性変形させることができる。
【００２４】
取付枠５における車両１の内部側全体は、フェルト等の弾性を有する材料が貼り付けられている。このため、サインボード６の外縁６ａ全体が取付枠５の内縁５ａ全体に対し嵌め込まれるとき、その内縁５ａが弾性変形してサインボード６の外縁６ａに向う上記内縁５ａの弾性力が大きくなる。その結果、取付枠５の内縁５ａとサインボード６の外縁６ａとの間の摩擦が増大し、その摩擦によって取付枠５に対するサインボード６の相対位置が保持される。そして、このように取付枠５に対するサインボード６の相対位置が保持された状態で、磁石７と鉄板８とによりサインボード６が取付枠５に対し取り付けられる。
【００２５】
なお、サインボード６と取付枠５とにおける磁石７と鉄板８との位置関係については上記と逆であってもよい。また、サインボード６には、ユーザーがサインボード６を引っ張って取付枠５から取り外すための取っ手が設けられていてもよい。
【００２６】
図３は、図２における車両１の窓枠２及び窓ガラス３、並びに、表示装置４の取付枠５及びサインボード６を矢印Ａ−Ａ方向から見た状態を示している。図３に示すように、取付枠５の内側に位置する面には、その取付枠５の内縁５ａに沿って同内縁５ａ全体に亘って延びる突起１２が形成されている。この突起１２は、取付枠５の内側に対しサインボード６が嵌め込まれたとき、そのサインボード６に当接して同サインボードの窓ガラス３側への過度な変位を抑制するためのものである。
【００２７】
なお、突起１２におけるサインボード６側の面は、取付枠５の内側にサインボード６が取り付けられたとき、そのサインボード６における窓ガラス３側の面における同サインボード６の外縁６ａ寄りの部分と触することにより、窓ガラス３とサインボード６との間に空間を形成する接触面として機能する。
【００２８】
サインボード６における厚さ方向両側の面のうち、サインボード６が取付枠５に取り付けられたときに窓ガラス３と向かい合う方の面（図３の左面）には、ユーザーによってコマーシャルメッセージ等を書き込むことができる黒板９が設けられている。この黒板９は、窓ガラス３を介して車両１の外に向けた表示を行う表示部としての役割を担うとともに、その表示の内容を変更できる表示部としての役割を担う。なお、こうした表示部として、黒板９に代えてホワイトボードを設けることも可能である。
【００２９】
サインボード６における厚さ方向両側の面のうち、黒板９が設けられている面と反対側の面（図３の右面）には、フェルトやコルクといった素材で形成されてメモ用紙、領収証、写真、及び商品等をピン等で留めることができるクリップ層１０が設けられている。図２は、メモ用紙、領収証、写真、及び商品等の物品１３をクリップ層１０に留めた状態を示している。なお、サインボード６のクリップ層１０は、上記物品１３を取り外し可能に取り付けることができる取付部としての役割を担う。
【００３０】
ちなみに、サインボード６は、厚さ方向両側の面のうちの一方の面（黒板９側の面）を窓ガラス３と向かい合うよう取付枠５に対し取り付けることができるだけでなく、サインボード６を裏返して厚さ方向両側の面のうちの他方の面（クリップ層１０側の面）を窓ガラス３と向かい合うよう取付枠５に対し取り付けることができるようにも構成されている。
【００３１】
次に、表示装置４の作用について説明する。
黒板９が窓ガラス３側を向くようにサインボード６を取付枠５に対し取り付けることにより、車両１の走行中にサインボード６の黒板９に書き込まれたコマーシャルメッセージ等が車両１の外に向けて窓ガラス３越しに表示される。一方、販売中には、取付枠５から取り外されたサインボード６を車両１の外に図４に示すように立てかけることにより、同サインボード６の黒板９に書き込まれたコマーシャルメッセージ等が表示される。このように、車両１における走行中と販売中との両方において、一つのサインボード６を用いて手間をかけることなく黒板９に書き込まれたコマーシャルメッセージ等の表示が行われる。
【００３２】
また、黒板９が窓ガラス３側を向くようにサインボード６を取付枠５に対し取り付けた状態では、車両１における車内側にはサインボード６におけるクリップ層１０が露出するため、そのクリップ層１０にメモ用紙、領収証、写真、及び商品等の物品１３を取り付けることが可能となる。更に、クリップ層１０に写真や商品等の物品１３を取り付けた状態で、そのクリップ層１０が窓ガラス３側を向くようにサインボードを裏返して取付枠５に対し取り付ければ、クリップ層１０に取り付けられた商品等を窓ガラス３越しに車両１の外に向けて表示することができる。なお、写真や商品等をクリップ層１０に取り付けたサインボード６を取付枠５から取り外し、車両１の外に上記クリップ層１０が表を向くようにサインボード６を立てかければ、上記クリップ層１０に取り付けられた写真や商品を車両１の外に表示することができる。
【００３３】
以上詳述した本実施形態によれば、以下に示す効果が得られるようになる。
（１）表示装置４を用いることにより、車両１における移動中のコマーシャルメッセージ等の表示と販売中のコマーシャルメッセージ等の表示とを、手間をかけることなく行うことができる。
【００３４】
（２）サインボード６を取付枠５に取り付けたとき、取付枠５の内縁５ａ全体に対しサインボード６の外縁６ａ全体が嵌め込まれた状態となるため、走行する車両１の動きに合わせて取付枠５に振動が生じたとしても、その振動によってサインボード６が取付枠５から外れるということは生じにくくなる。
【００３５】
（３）サインボード６における黒板９の表示内容についてはユーザーが書き換えることが可能であるため、サインボード６の使用状況等に応じて黒板９の表示内容を変更することができる。
【００３６】
（４）サインボード６の厚さ方向両側の面のうち黒板９側の面と反対側の面にクリップ層１０が設けられているため、そのクリップ層１０に対しメモ用紙、領収証、写真、及び商品等といった物品１３を取り付けたり取り外したりすることができる。
【００３７】
（５）サインボード６を取付枠５に対し取り付けるとき、サインボード６における窓ガラス３に向う面を、同サインボード６の厚さ方向の両側の面のうちからいずれかを選択することができる。従って、サインボード６における黒板９と反対側の面であるクリップ層１０に対し写真や商品を取り付けるとともに、同クリップ層１０が窓ガラス３に向うようにサインボード６を取付枠５に対し取り付けることにより、窓ガラス３越しに車両１の外に向けて写真や商品を表示することができる。
【００３８】
（６）写真や商品等をクリップ層１０に取り付けたサインボード６を取付枠５から取り外し、車両１の外に上記クリップ層１０が表を向くようにサインボード６を立てかければ、上記クリップ層１０に取り付けられた写真や商品を車両１の外に表示することができる。
【００３９】
（７）サインボード６を磁石７によって取付枠５に対し取り付けるに当たり、サインボード６の外縁６ａ全体が取付枠５の内縁５ａ全体に対し嵌め込まれる。このとき、取付枠５の内縁５ａが弾性変形して、サインボード６の外縁６ａに向う上記内縁５ａの弾性力が大きくなる。その結果、サインボード６と取付枠５との間の摩擦が増大し、サインボード６と取付枠５との相対位置が保持されるため、取付枠５に対しサインボード６をしっかりと取り付けることができる。
【００４０】
（８）車両１の窓ガラス３については湾曲している場合があり、取付枠５に取り付けられたサインボード６が、仮に上記湾曲した窓ガラス３に接してしまうようなことがあると、そうした接触に伴って異音が発生することは避けられない。しかし、サインボード６が取付枠５の内側に取り付けられたとき、そのサインボード６における窓ガラス３側の面における同サインボード６の外縁６ａ寄りの部分が、取付枠５に形成された突起１２に接することにより、サインボード６が窓ガラス３との間に空間を形成した状態で保持される。このため、取付枠５の内側に取り付けられたサインボード６が上記湾曲した窓ガラス３に接することを抑制でき、その接触に伴う異音の発生も抑制することができる。
【００４１】
なお、上記実施形態は、例えば以下のように変更することもできる。
・取付枠５における車両１の内部側全体にフェルト等の弾性を有する材料を貼り付けることは必須ではない。
【００４２】
・サインボード６における厚さ方向両側の面のうち、黒板９側の面と反対側の面にクリップ層１０を設けることは必須ではない。
・サインボード６における厚さ方向両側の面のうち、黒板９側の面と反対側の面にクリップ層１０に代えて上記黒板９とは別の表示部を設けるようにしてもよい。こうした別の表示部としては黒板を採用してもよいし、ホワイトボードを採用してもよい。
【００４３】
この構成では、サインボードにおける厚さ方向の表裏両面にそれぞれ表示部が設けられているため、それら表示部に別々の内容を表示するとともに状況に応じてサインボード６を裏返すことにより、同サインボード６で表示する内容を状況に合わせて容易に切り換えることができる。
【００４４】
ちなみに、取付枠５に対しサインボード６を取り付けるに当たり、そのサインボード６における表裏の表示部に別々の内容を表示するとともに、状況に応じてサインボード６を裏返して取付枠５に対し取り付けるようにすれば、窓ガラス３越しに車両１の外に向けて表示する内容を状況に合わせて容易に切り換えることができる。
【００４５】
・取付枠５に対しサインボード６を厚さ方向の表裏逆に取り付け可能とすることは必須ではなく、クリップ層１０側が窓ガラス３に向うようにはサインボード６を取付枠５に対し取り付けることができない構造であってもよい。
【００４６】
・表示部として黒板及びホワイトボードを例示したが、それらに代えて液晶ディスプレイ等の映像を表示するものを用いてもよい。
・サインボード６を取付枠５に対し取り付けるためにサインボード６の外縁６ａ全体を取付枠５の内縁５ａ全体に対し嵌め込むとき、サインボード６と取付枠５との間の摩擦が増大することは必須ではない。こうした摩擦の増大によるサインボード６と取付枠５との相対位置の保持を行うことなく、磁石７によってサインボード６を取付枠５に対し取り付けるようにしてもよい。
【００４７】
・取付枠５の内側に位置する面に突起１２に代えて段部を形成し、その段部におけるサインボード６側の面を、同サインボード６と接することにより窓ガラス３とサインボード６との間に空間を形成するための接触面として機能させてもよい。
【００４８】
・取付枠５に対するサインボード６の取り付け態様を適宜変更してもよい。例えば、黒板９側のみが窓ガラス３に向かうようサインボード６が取付枠５に対し取り付けられる場合、サインボード６における下側の二つの磁石７を省略するとともに、サインボード６の下辺における外縁６ａと内縁５ａとの対向部分に互いに嵌め合うことが可能な凹凸を形成するようにしてもよい。この場合、上記凹凸を嵌め合った後にサインボード６における上側の二つの磁石７をそれぞれ取付枠５の上側の二つの鉄板８に貼り付けることにより、取付枠５に対するサインボード６の取り付けが行われる。
【符号の説明】
【００４９】
１…車両、２…窓枠、３…窓ガラス、４…表示装置、５…取付枠、５ａ…内縁、６…サインボード、６ａ…外縁、７…磁石、８…鉄板、９…黒板、１０…クリップ層（取付部）、１１…固定バンド、１２…突起、１３…物品。
【図１】
2018205399.tif 000003
【図２】
2018205399.tif 000004
【図３】
2018205399.tif 000005
【図４】
2018205399.tif 000006